【事件の表示】
　平成１１年特許願第１７３２２７号「遊技球払出装置」拒絶査定不服審判事件〔平成１２年　１月２５日出願公開、特開２０００−　２４２５２〕について、次のとおり審決する。
【結　論】
　本件審判の請求は、成り立たない。
【理　由】
１，手続きの経緯
　本願は、平成８年９月６日に出願した特願平８−２３６９４８号の一部を平成１１年６月１８日に新たな特許出願としたものであって、平成１４年４月２日付けで拒絶理由が通知され、これに対し、平成１４年７月１８日付けで手続補正がなされ、平成１４年１０月８日付けで最後の拒絶理由が通知され、これに対し、平成１４年１２月６日付けで手続補正がなされ、平成１５年２月１９日付けで上記平成１４年１２月６日付け手続補正の却下の決定及び拒絶査定がなされ、これに対し、平成１５年３月２７日に審判請求がなされるとともに、平成１５年４月１８日付けで手続補正がなされたものである。
　
２，平成１５年４月１８日付けの手続補正について
　上記補正は、平成１４年７月１８日付けで補正された明細書記載の請求項１について明りようでない記載の釈明をしたものであって、特許法第１７条の２第４項第４号に掲げる事項を目的とするものであるから、当該補正を認める。
　
３，本願発明
　本願の請求項１に係る発明は、上記平成１５年４月１８日付けで補正された明細書の記載からみて、その特許請求の範囲の請求項１に記載された次のとおりのものである。
　【請求項１】複数の球切爪を突設した球切部の側縁に停止円板を一体的に設けてなる停止回転体が、遊技球通路に連通した停止回転体収納部を設けたケース内に、中央に穿設された軸挿通孔を中心として回転可能に取り付けられた遊技球払出装置であって、
　前記ケースの内壁面が、前記停止回転体の停止円板の外側面と平行に配置されているとともに、
　前記停止円板の外側面であって内側面の球切部の外側に相当する位置に、半球状の複数の突起体が、停止回転体の軸挿通孔を中心とした円周上に設けられていることを特徴とする遊技球払出装置。（以下「本願発明」という）
　
４，刊行物に記載された発明
　刊行物；特開平６−３４３７４８号公報　
　　
　原審の拒絶理由通知に引用された、特開平６−３４３７４８号公報（以下、「引用刊行物」という）には、次の事項が記載されている。
　
　「【０００１】
【産業上の利用分野】本発明は、賞品球タンクから、所定数の遊技球を計数排出する計数装置に関する。」
　「【０００６】
【実施例】図１は遊技球の計数装置を取り付けた、パチンコ機の一部断面を示す裏面図である。賞品球タンク１００内の遊技球は、誘導路１０２で整列されて、誘導路１０２の右端部に設置の遊技球の計数装置１に導かれて、排出路１０４を経て図示略の上皿に排出する。尚、５０は球崩体である。図２は、遊技球の計数装置の正面断面図、図３は遊技球の計数装置の裏面断面図、図４は遊技球の計数装置の左側図である。遊技球の計数装置１の基台４は、合成樹脂で仕切板２０を介してそれぞれ箱状に構成され、該中央部に横設の固定軸１０ａ、１０ｂには、遊技球の自重で回転しながら遊技球を１個ずつ受け入れる球受部６ａ、６ｂを形成した球切回転体７ａ、７ｂが併設されている。尚、球受部６（６ａ、６ｂ）は共に６個形成してあり、遊技球を１個づつ受入れ、排出し、１回転で６個の遊技球を排出する。
【０００７】又、球切回転体７（７ａ、７ｂ）の停止機構としては、停止回転体８（８ａ、８ｂ）と停止板２５（２５ａ、２５ｂ）とで構成してある。即ち、停止回転体８ａ、８ｂは球切回転体７ａ、７ｂと同回転するように付設し、停止回転体８ａの周縁部には６０゜間隔で６箇所、一方の停止回転体８ｂの周縁部には１２０゜間隔で３箇所、切欠部９ａ、９ｂが形成してある。又、それぞれの切欠部９ａ、９ｂに当接、離脱可能となる、電磁ソレノイド２６ａ、２６ｂのプランジャー２７ａ、２７ｂにバネ２８ａ、２８ｂを介して連結されている停止板２５ａ、２５ｂで構成されている。前記構成の停止機構を説明すると、停止板２５ａ、２５ｂは常時バネ２８ａ、２８ｂによって球切回転体７ａ、７ｂの停止回転体８ａに当接するように付勢されていて、停止板２５ａ、２５ｂは切欠部９ａ、９ｂに当接状態を維持し球切回転体７ａ、７ｂの回転を禁止する。そこで、電磁ソレノイドを通電（ＯＮ）するとバネ２８ａ、２８ｂの付勢力等に打勝って停止板２５ａ、２５ｂは切欠部９ａ、９ｂから離脱し、球切回転体７ａ、７ｂは遊技球の自重によって回転する。かかる状態で、電磁ソレノイドを非通電（ＯＦＦ）とすると、プランジャー２７ａ、２７ｂと停止板２５ａ、２５ｂの自重と、ばね２８ａ、２８ｂの付勢力で停止板２５ａ、２５ｂは切欠部９ａ、９ｂに当接して回転を禁止する。」
　「【００１１】次に、図９は、遊技球の計数装置１を従来設置してある場所に設置した状態を示し、遊技球の計数装置１は、誘導路１０２の端部に設けられた受入通路１０６に連通して設置する。この様に、本発明の遊技球の計数装置１は、小型であり、従来の位置に設置でき、従来装置と簡便に取り替え可能であるため、経済性に富む。・・・」
　「【００１２】
【発明の効果】本発明の遊技球の計数装置は、異なる数の遊技球の排出を可能とすると共に、遊技球を１個づつ受入れながら排出するため、直径の小さい遊技球が混在していても、球受部でブリッジを形成することなく、受入れ、排出が円滑に行うことができる。・・・」
　また、図面、特に計数装置の正面断面図、裏面断面図、左側断面図である【図２】乃至【図４】に示された事項を併せると、「球受部６ａ、６ｂを６個形成した球切回転体７ａ、７ｂの外周面は６個の湾曲凹部と６個の稜部とから構成」され、「球切回転体７ａ、７ｂの側縁に停止回転体８ａ、８ｂを設け」、「球切回転体７ａ、７ｂ及び停止回転体８ａ、８ｂが基台４内に配置」され、「基台４の内壁面が停止回転体８ａ、８ｂの外側面と平行に配置」された、技術事項が示されている。
　
　したがって、これらの事項を併せると、引用刊行物には、
　「６個の稜部を突設した球切回転体７ａ、７ｂと、当該球切回転体７ａ、７ｂと同回転するようにそれらの側縁に設けられた停止回転体８ａ、８ｂとの両回転体が、誘導路１０２の端部に設けられた受入通路１０６に連通した箱状の基台４内に、横設した固定軸１０ａ、１０ｂを中心として回転可能に取り付けられた、遊技球を計数排出する計数装置であって、
　前記箱状の基台４の内壁面が、前記停止回転体８ａ、８ｂの外側面と平行に配置されている、遊技球を計数排出する計数装置。」の発明（以下「引用発明」という）が、記載されていると認められる。
　　
５，本願発明との比較・検討
　本願発明と引用発明とを比較する。
　引用発明の「６個の稜部」は、本願発明の「複数の球切爪」に相当し、以下同様に「球切回転体７ａ、７ｂ」は「球切部」に、「停止回転体８ａ、８ｂ」は「停止円板」に、「受入通路１０６」は「遊技球通路」に、「箱状の基台４」は「ケース」に、「遊技球を計数排出する計数装置」は「遊技球払出装置」に、それぞれ相当する。そして、引用発明の「球切回転体７ａ、７ｂと、それらの側縁に設けられた停止回転体８ａ、８ｂとの両回転体」は「同回転するように設けられ」ているから、本願発明の「球切部の側縁に停止円板を一体的に設けてなる停止回転体」に相当する。また、回転体をケース内に取り付ける場合にケースが回転体収納部を備えること、及び回転体が中央に穿設された軸挿通孔を中心として回転可能に取り付けられることは、それぞれ技術常識であるから、引用発明の「両回転体が、箱状の基台４内に、横設した固定軸１０ａ、１０ｂを中心として回転可能に取り付けられた」の技術事項は本願発明の「停止回転体が、停止回転体収納部を設けたケース内に、中央に穿設された軸挿通孔を中心として回転可能に取り付けられた」の技術事項に、相当することは明らかな事項である。
　したがって、両者の一致点及び相違点は次のとおりである。
　
　一致点
　複数の球切爪を突設した球切部の側縁に停止円板を一体的に設けてなる停止回転体が、遊技球通路に連通した停止回転体収納部を設けたケース内に、中央に穿設された軸挿通孔を中心として回転可能に取り付けられた遊技球払出装置であって、
　前記ケースの内壁面が、前記停止回転体の停止円板の外側面と平行に配置されている、遊技球払出装置。
　
　相違点
　本願発明では、停止円板の外側面であって内側面の球切部の外側に相当する位置に、半球状の複数の突起体が、停止回転体の軸挿通孔を中心とした円周上に設けられているのに対し、引用発明ではそのような構成を備えていない点。　
　　
　そこで、上記相違点について検討する。
　複数の突起体が、軸挿通孔を中心とした円周上の外側面に設けられることにより、対向する平面間の接触抵抗を少なくし回動し易くする技術は、例えば、実願平３−１０３５０９号（実開平５−５２９１４号）のＣＤ−ＲＯＭにおける「半球状の突起４４」（段落番号【００１８】、【００２４】及び【図１】乃至【図４】参照）を設けた技術、及び実願昭５９−１３８９４８号（実開昭６１−５５７２０号）のマイクロフィルムにおける「突起１４」（明細書第４頁第１１乃至２０行、第１図及び第２図参照）を設けた技術にそれぞれ示されたように、周知・慣用の技術である。
　ところで、本願発明の「接触摩擦により回転体が回転しにくくなる」という課題は、遊技球払出装置に限らず、あらゆる装置についていえる一般的な課題、つまり、装置の構成を考える場合における自明な課題にすぎない。また、突起体の具体的な形状及び設置場所をどのようなものとするかは該当する装置の構造に応じて、当業者が適宜選択できる設計上の事項である。
　したがって、この課題と複数の突起体が軸挿通孔を中心とした円周上の外側面に設けられた前記周知・慣用の技術とを併せて考慮し、引用発明の遊技球払出装置を前記自明の課題に従って接触摩擦を少なくし回転体を回転し易くしようとして、周知・慣用の技術である前記複数の突起体を採用する際に、半球状の複数の突起体とし、またそれらの設置位置として停止円板の円周上における剛性の高い部位に特定して、上記相違点に係る本願発明を特定する事項とすることは、当業者であれば容易に想到できたものである。
　
　また、効果においても、本願発明が格別の効果を奏するものとは認められない。
　
６，むすび
　したがって、本願発明は、引用発明及び周知・慣用技術に基づいて、当業者が容易に発明をすることができたものであるから、本願は、特許法第２９条第２項の規定により、特許を受けることができない。
　よって、結論のとおり審決する。